(57)【要約】【課題】固形内容物と液状内容物の両者を収容するパウチにおいて、単一の操作で、液体内容物と固形内容物の両者を別個に取り出すことのできる水切りパウチを提供すること。【解決手段】周縁の密封縁の近傍に、切断して開口部を形成する切断予定線１５を有しており、この開口部を二分して、その一方の領域を水切り口Ａとし、他方の領域を固形内容物取り出し口Ｂとする。そして、水切り口に、液体内容物を透過して固形内容物の透過を遮断する水切り用シール部を設ける。切断予定線で切断するという単一の操作により、水切り口と固形内容物取り出し口の両者を形成することができる。そして、水切り口が下方になるようにパウチ１００を傾けて液体内容物を排出し、次に内部に残留する固形内容物を固形内容物取り出し口Ｂから取り出す。【選択図】図１
2018012513.tif 000002
【特許請求の範囲】
【請求項１】
液体内容物と固形内容物との混合物から成る内容物を密封して成るパウチであって、
周縁の密封縁の近傍に、切断して開口部を形成する切断予定線を有しており、
この開口部を二分して、その一方の領域を水切り口とし、他方の領域を固形内容物取り出し口とすると共に、
水切り口に、液体内容物を透過して固形内容物の透過を遮断する水切り用シール部が設けられている、
ことを特徴とする水切りパウチ。
【請求項２】
前記水切り口と固形内容物取り出し口との間に、これらを区画する区画シール部を有することを特徴とする請求項１に記載の水切りパウチ。
【請求項３】
前記密封縁にシール線を有することを特徴とする請求項１又は２に記載の水切りパウチ。
【請求項４】
前記水切り用シール部が点状のシール部であることを特徴とする請求項１〜３のいずれかに記載の水切りパウチ。
【発明の詳細な説明】
【技術分野】
【０００１】
本発明は、固形内容物と液状内容物の両者を収容して、これら固形内容物と液状内容物とを各別に取り出すことのできる水切りパウチに関する。
【背景技術】
【０００２】
固形内容物と液状内容物とを各別に取り出すことのできる水切りパウチは、例えば、特許文献１あるいは特許文献２に記載されている。
【０００３】
特許文献１に記載の水切りパウチ２００は、図２（ａ）に示すようなものである。すなわち、この水切りパウチ２００は、周縁をシール線１１，１２，１３，１４でシールして密封し、その天シール線１３の内容物寄りに破線状のシール線１６を設けている。そして、天シール線１３と破線状シール線１６との間には第１の切断予定線１５１が設けられており、破線状シール線１６の内容物寄りには第２の切断予定線１５２が設けられている。この水切りパウチ２００を使用するに当っては、まず、第１の切断予定線１５１で水切りパウチ２００を切断し、破線状シール線１６の隙間から液体内容物２１を排出する。このとき、固形内容物２２は破線状シール線１６に遮られるため、水切りパウチ２００から排出されることがなく、そのまま水切りパウチ２００の内部に残留する。そして、次に、第２の切断予定線１５２で水切りパウチ２００を切断して、形成された開口部から固形内容物２２を取り出す。
【０００４】
特許文献２に記載の水切りパウチ３００は特許文献１に記載の水切りパウチ２００に類似しているが、第２の切断予定線１５２を設けることなく、その代わりに破線状シール線１６を剥離容易なシール線１６’で構成したものである（図２（ｂ）参照）。この水切りパウチ３００を使用する際には、まず、特許文献１に記載の水切りパウチ２００と同様に第１の切断予定線１５１で切断し、破線状シール線１６’の隙間から液体内容物２１を排出する。次に、剥離容易な破線状シール線１６’を剥離して開封し、形成された開口部から固形内容物２２を取り出す。
【先行技術文献】
【特許文献】
【０００５】
【特許文献１】特開平１１−１４７５４２号公報
【特許文献２】特開２０１３−２３２３７号公報
【発明の概要】
【発明が解決しようとする課題】
【０００６】
ところで、これら特許文献１，２に記載のパウチは、いずれも、液体内容物と固形内容物とを取り出す際には、２段階の操作を必要とする。
【０００７】
すなわち、特許文献１に記載のパウチにおいては、まず１段階目の操作として第１の切断予定線１５１で水切りパウチ２００を切断し、次に２段階目の操作として第２の切断予定線１５２で水切りパウチ２００を切断する必要がある。
【０００８】
また、特許文献２に記載のパウチにおいては、まず１段階目の操作として第１の切断予定線１５１で水切りパウチ３００を切断し、次に２段階目の操作として剥離容易な破線状シール線１６’を剥離する必要がある。
【０００９】
本発明はこのような技術的背景に基づいてなされたもので、単一の操作、すなわち、パ
ウチを単一の切断予定線で切断する操作だけで、液体内容物と固形内容物の両者を別個に取り出すことのできる水切りパウチを提供することを目的とする。
【課題を解決するための手段】
【００１０】
すなわち、請求項１に記載の発明は、液体内容物と固形内容物との混合物から成る内容物を密封して成るパウチであって、
周縁の密封縁の近傍に、切断して開口部を形成する切断予定線を有しており、
この開口部を二分して、その一方の領域を水切り口とし、他方の領域を固形内容物取り出し口とすると共に、
水切り口に、液体内容物を透過して固形内容物の透過を遮断する水切り用シール部が設けられている、
ことを特徴とする水切りパウチである。
【００１１】
次に、請求項２に記載の発明は、前記水切り口と固形内容物取り出し口との間に、これらを区画する区画シール部を有することを特徴とする請求項１に記載の水切りパウチである。
【００１２】
また、請求項３に記載の発明は、前記密封縁にシール線を有することを特徴とする請求項１又は２に記載の水切りパウチである。
【００１３】
また、請求項４に記載の発明は、前記水切り用シール部が点状のシール部であることを特徴とする請求項１〜３のいずれかに記載の水切りパウチである。
【発明の効果】
【００１４】
本発明の水切りパウチにおいては、密封縁の近傍に、切断して開口部を形成する切断予定線を有しており、この開口部を二分して、その一方の領域を水切り口とし、他方の領域を固形内容物取り出し口としているから、この切断予定線でパウチを切断するという単一の操作により、水切り口と固形内容物取り出し口の両者を形成することができる。
【００１５】
次に、水切り口が下方になるようにパウチを傾けることにより、水切り口から液体内容物を排出することができる。水切り口には水切り用シール部が設けられており、この水切り用シール部は液体内容物を透過して固形内容物の透過を遮断するから、この水切り口から液体内容物が選択的に排出され、固形内容物は水切り用シール部に遮られて、パウチ内部に残存する。
【００１６】
そして、最後に、固形内容物取り出し口から固形内容物を取り出すことができる。
【図面の簡単な説明】
【００１７】
【図１】図１は本発明の水切りパウチの具体例に係り、図１（ａ）はその正面図、図１（ｂ）は開封状態を示す正面図である。
【図２】図２（ａ）及び図２（ｂ）は、それぞれ、従来の水切りパウチの正面図である。
【発明を実施するための形態】
【００１８】
本発明のパウチは、固形内容物と液体内容物との混合物から成る内容物を密封して成るパウチである。これら内容物としては、例えば、浅漬け、各種こんにゃく類、寒天を含むみつ豆等のデザート類を例示することができる。また、フレッシュチーズ等であってもよい。
【００１９】
本発明のパウチは、これら内容物を収容して密封したものであり、このため、液体内容
物が漏れることのない材質と構造とを有する必要がある。パウチの材質としては、任意のプラスチックフィルムを使用でき、単層のフィルム単体、あるいは多層構造のフィルムであってよい。例えば、ポリオレフィンフィルム単体、ポリエステルフィルム単体、ポリアミドフィルム単体である。また、これらを積層した多層構造の積層体でもよい。また、その層構成の一部にアルミニウム箔等の金属箔や、金属蒸着層、無機蒸着層等を有するものであってもよい。
【００２０】
また、このパウチの形態も任意でよい。例えば、三方シール袋、四方シール袋、スタンディングパウチ、ガゼット袋、ピロー袋等である。固形内容物がフレッシュチーズのような壊れ易いものである場合には、自立性のあるスタンディングパウチが望ましく、また、１００Ｎ／１５ｍｍ以上の高い腰強度を有するものが望ましい。図１（ａ）は本発明のパウチの具体例を示す正面図で、このパウチ１００は表裏のフィルムと二つ折りした底部用フィルムとで構成されたスタンディングパウチである。このようなスタンディングパウチは周知であるが、このパウチ１００は、図示のように、左右の側シール線１１，１２、天シール線１３、底シール線１４によってシールされ、これらシール線１１，１２，１３，１４によって密封されており、その内部に液体内容物２１と固形内容物２２との混合物が収容されている。
【００２１】
そして、このパウチ１００には、天シール線１３の近傍に切断予定線１５を有している。この切断予定線１５は天シール線１３に平行に設けられている。切断予定線１５は表裏のフィルムの両方に設けられており、この切断予定線１５でパウチ１００を切断することにより、開口部を形成することができる。
【００２２】
この切断予定線１５は、例えば、表裏のフィルムに設けたハーフカットで構成することができる。実線状あるいは破線状であってよい。また、これら表裏のフィルムに設けた印刷によって切断予定線１５を示してもよい。また、表裏のフィルムを一軸延伸フィルムで構成して、その延伸方向で切断するものであってもよい。
【００２３】
なお、この切断予定線１５に加えて、その端部にノッチを設けることもできる。ノッチは任意の形状でよく、Ｉノッチ、Ｖノッチ等を使用できる。また、ノッチの代わりに、多数の傷痕を切断予定線１５端部に設けて、切断のきっかけとすることもできる。
【００２４】
次に、このパウチ１００では、切断予定線１５で切断して形成される開口部に区画シール部１７が設けられており、この区画シール部１７によって開口部は二つの領域に区画されている。その二つの領域のうち、一方の領域は水切り口Ａであり、他方の領域は固形内容物取り出し口Ｂである。この例では、図示左側に水切り口Ａが位置し、右側に固形内容物取り出し口Ｂが位置している。
【００２５】
この区画シール部１７は、パウチ１００を構成する表裏のフィルムを互いにヒートシールすることによって形成することができる。なお、この区画シール部１７は本発明に必須ではないが、液体内容物２１をパウチ１００から排出する際に、パウチ１００が過大に開くことを防止し、固形内容物２２が液体内容物２１に混入して排出されることを防止するため、開口部の一部に表裏のフィルムを互いに固定する区画シール部１７を設けることが望ましい。
【００２６】
次に、水切り口Ａには、液体内容物２１を透過して固形内容物２２の透過を遮断する水切り用シール部１６が設けられている。この水切り用シール部１６は、パウチ１００を構成する表裏のフィルムを互いにヒートシールすることによって形成することができる。そして、この水切り用シール部１６は、液体内容物２１を透過して固形内容物２２の透過を遮断するため、点状のシール部を配列して構成したものであることが望ましい。この点状
の水切り用シール部１６の間から液体内容物２１を透過してパウチ１００外部に排出することができ、一方、固形内容物２２はこの点状の水切り用シール部１６に遮られてパウチ１００内部に残留する。このため、点状水切り用シール部１６と点状水切り用シール部１６との間の隙間は、固形内容物２２に比較して十分に小さいことが望ましい。
【００２７】
このパウチ１００は、次のように使用することができる。すなわち、まず、切断予定線１５でパウチ１００を切断して開口部を開く。開口部は、区画シール部１７によって、水切り口Ａと固形内容物取り出し口Ｂとに二分されている（図１（ｂ）参照）。
【００２８】
次に、水切り口Ａが下方になるようにパウチ１００を傾けることにより、固形内容物２２をパウチ１００内部に残留させたまま、液体内容物２１を選択して水切り口Ａから排出させる。
【００２９】
そして、最後に、パウチ１００内部に残留した固形内容物取り出し口Ｂから固形内容物２２を取り出す。こうして、液体内容物２１と固形内容物２２とを分離して、各別に取り出すことが可能である。
【符号の説明】
【００３０】
１００：水切りパウチ
１１：左側シール線    １２：右側シール線    １３：天シール線    １４：底シール線
１５：切断予定線    １６：水切り用シール部    １７：区画シール部
２１：液体内容物    ２２：固形内容物
Ａ：水切り口    Ｂ：固形内容物取り出し口
【図１】
2018012513.tif 000003
【図２】
2018012513.tif 000004